(57)【要約】【課題】プライムカラーに発光のピークを有する発光源がほとんどであるオフィス環境下において、必要十分な反射防止機能を得る。【解決手段】少なくともプライムカラーに反射率の極小を有することを特徴とする反射防止膜及び、少なくともプライムカラーに反射率の極小を有し、かつ、プライムカラーに発光の極大を有することを特徴とする発光型の表示媒体ならびに、少なくともプライムカラーに反射率の極小を有することを特徴とする反射型の表示媒体を提供することにより前記課題を解決する。【選択図】図１
2004109158.tif 000002
【特許請求の範囲】
【請求項１】
少なくともプライムカラーに反射率の極小を有することを特徴とする反射防止膜。
【請求項２】
少なくともプライムカラーに反射率の極小を有し、かつ、プライムカラーに発光の極大を有することを特徴とする発光型の表示媒体。
【請求項３】
少なくともプライムカラーに反射率の極小を有することを特徴とする反射型の表示媒体。
【請求項４】
前記少なくともプライムカラーに反射率の極小を有するという前記表示媒体の反射機能は、請求項１に記載の反射防止膜を貼付することによって得られる請求項２または３に記載の表示媒体。
【発明の詳細な説明】
【０００１】
【発明の属する技術分野】
本発明は、反射防止膜に係り、特に、３波長型蛍光灯等のように、いわゆるプライムカラー（ｐｒｉｍｅ　ｃｏｌｏｒｓ）　に発光ピークを有する光源に対し、その３つの発光ピークの波長における反射率を抑える反射防止膜及びこれを用いた表示媒体に関する。
【０００２】
【従来の技術】
従来、例えば、屈折率が比較的大きい光学ガラスからなるレンズ等の光学部品においては、その光学部品に入射する光がその表面で反射すると、反射した分だけ透過率が低下したり、反射による表面への映り込みが発生するという弊害がある。
例えば、メガネでは、光量が不足する夕方に、メガネレンズを透過する光量がさらに減少するため、より見づらくなり、また、カメラのレンズの場合には、何枚ものレンズを組み合わせているため、それだけレンズを透過する光量が減って画面が暗くなる。また、テレビモニタ等の表示媒体の場合には、照明光等の外光が表示画面で反射し、映り込みやフレアを引き起し、視認性を著しく悪化させている。
【０００３】
そこで、従来、このような表面での反射による弊害を防ぐために、レンズ等の光学部品においては、一般に反射防止膜が施されている。
反射防止膜としては、例えば、フッ化マグネシウム（ＭｇＦ２　）等の単層膜が基本であり、これは、レンズの表面に光の波長の１／４の厚さで薄膜を形成し、表面で反射した光と、薄膜の裏側で反射した光とが干渉によって打ち消し合い、反射光を抑制するようにしたものである。しかしこれだけでは、一つの波長の光の反射しか抑えられないため、実際には何層かを組み合わせた多層反射防止膜が用いられている。
【０００４】
多層反射防止膜は、例えば、ガラス基板上に屈折率の異なる物質を多層に蒸着したものである。
具体的には、例えば、緑色光の反射を抑えるためには、緑色光の波長が５５０ｎｍで、膜の材料としてフッ化マグネシウムを用いるとすれば、その屈折率は１．３９であるため、膜の中の波長は３９６ｎｍとなり、この波長の１／４の９９ｎｍの厚さの膜を付ければよい。
【０００５】
しかし、これだけでは、前述したように５５０ｎｍという一つの波長の光（緑色光）の反射しか抑えることができないため、同じ原理で、何層かを重ねて多層とする。このとき、当然、多層になるほど反射が抑えられて、内部に光りが入射する光量も多くなることになる。
通常、多層反射防止膜は、可視域全体に亙って、反射率が低くなるように設計される。
【０００６】
【発明が解決しようとする課題】
しかしながら、昨今のオフィス環境では、照明に用いられる蛍光灯やブラウン管、液晶ディスプレイ等のモニタ（表示媒体）が主たる発光源である。
また、一般に液晶ディスプレイのバックライトには、蛍光灯が用いられているため、人の目に入る光のほとんどは、蛍光灯とブラウン管等のモニタからの光であると言える。
また、蛍光灯やこれらのモニタの発光ピークは、その色再現性や演色性を最大化するために、なるべくプライムカラー（ｐｒｉｍｅ　ｃｏｌｏｒｓ）　に一致するように設計されている。
【０００７】
なお、ここで、プライムカラーとは、人間の目の最も感度が高い、４５０ｎｍ、５４０ｎｍ及び６１０ｎｍの近傍（例えばこれに±２０ｎｍ）の波長の色を言い、詳しくは、Ｗ．Ａ．Ｔｈｏｒｎｔｏｎ，Ｍａｔｃｈｉｎｇ　ｌｉｇｈｔｓ，ｍｅｔａｍｅｒｓ，ａｎｄ　ｈｕｍａｎ　ｖｉｓｕａｌ　ｒｅｓｐｏｎｓｅ，Ｊｏｕｒｎａｌ　ｏｆ　Ｃｏｌｏｒ　ａｎｄ　Ａｐｐｅａｒａｎｃｅ，２（１），ｐｐ．２３−２９（１９７３）　、Ｍ．Ｈ．Ｂｒｉｌｌ　Ｇ．Ｄ．Ｆｉｎｌａｙｓｏｎ　Ｐ．Ｍ．Ｈｕｂｅｌ　Ｗ．Ａ．Ｔｈｏｒｎｔｏｎ，Ｐｒｉｍｅ　ｃｏｌｏｒｓ　ａｎｄ　ｃｏｌｏｒ　ｉｍａｇｉｎｇ，Ｐｒｏｃｅｅｄｉｎｇｓ　ｏｆ　ＩＳ＆Ｔ／ＳＩＤ　６ｔｈ　Ｃｏｌｏｒ　Ｉｍａｇｉｎｇ　Ｃｏｎｆｅｒｅｎｃｅ，ｐｐ．３３−４２（１９９８）　、Ｇ．Ｄ．Ｆｉｎｌａｙｓｏｎ　Ｐ．Ｍ．Ｍｏｒｏｖｉｃ　，Ｍｅｔａｍｅｒ　ｃｒｏｓｓｏｖｅｒｓ　ｏｆ　ｉｎｆｉｎｉｔｅ　ｍｅｔａｍｅｒ　ｓｅｔｓ，Ｐｒｏｃｅｅｄｉｎｇｓ　ｏｆ　ＩＳ＆Ｔ／ＳＩＤ　８ｔｈ　　Ｃｏｌｏｒ　Ｉｍａｇｉｎｇ　Ｃｏｎｆｅｒｅｎｃｅ，ｐｐ．１３−１７（２０００）　等に記載されている。
例えば、照明や液晶ディスプレイ等のバックライトに多く用いられている３波長型蛍光灯は、４３５ｎｍ、５４５ｎｍ及び６１０ｎｍの３つの波長に発光ピークを持っている。
【０００８】
従って、昨今のオフィス環境で、人が目にする光は、ほとんどプライムカラー（その近傍を含む）である。このような環境では、反射防止膜は、可視域全ての反射を抑制する必要はなく、プライムカラー（その近傍を含む）の反射率を抑制するだけでよい。
ただし、モニタの視認性を考えた場合、外光としての蛍光灯と、モニタのバックライトの発光は同一の波長であるため、このプライムカラーの波長の表面反射抑制については、高い精度が要求される。
しかしながら、従来の反射防止膜では、上述したような昨今のオフィス環境下において、必要十分な反射防止機能が得られていないという問題があった。
【０００９】
本発明は、前記従来の問題に鑑みてなされたものであり、人間の目の最も感度の高いプライムカラーに発光のピークを有する発光源がほとんどであるオフィス環境下において、必要十分な反射防止機能を持った反射防止膜及びこれを用いた表示媒体を提供することを課題とする。
【００１０】
【課題を解決するための手段】
前記課題を解決するために、本発明の第一の態様は、少なくともプライムカラーに反射率の極小を有することを特徴とする反射防止膜を提供する。
【００１１】
また、同様に前記課題を解決するために、本発明の第二の態様は、少なくともプライムカラーに反射率の極小を有し、かつ、プライムカラーに発光の極大を有することを特徴とする発光型の表示媒体を提供する。
【００１２】
また、同様に前記課題を解決するために、本発明の第三の態様は、少なくともプライムカラーに反射率の極小を有することを特徴とする反射型の表示媒体を提供する。
【００１３】
また、前記少なくともプライムカラーに反射率の極小を有するという前記表示媒体の反射機能は、請求項１に記載の反射防止膜を貼付することによって得られることが好ましい。
【００１４】
【発明の実施の形態】
以下、本発明の反射防止膜及びこれを用いた表示媒体について、添付の図面に示される好適実施形態を基に詳細に説明する。
【００１５】
本発明に係る反射防止膜は、昨今のオフィス環境が、三波長型蛍光灯等のいわゆるプライムカラー（その近傍を含む）に発光のピークを有する発光源がほとんどであることに鑑みて、プライムカラーの波長の光の反射を抑制するために、反射率がプライムカラーで極小をとるように、反射防止膜を構成する各層の膜厚や屈折率を設計したものである。
【００１６】
ところで、プライムカラー（ｐｒｉｍｅ　ｃｏｌｏｒｓ）　とは、人間の目が最も感度が高い波長の近傍の色であり、本発明においては、４５０±２０ｎｍ、５４０±２０ｎｍ、６１０±２０ｎｍの範囲であることが望ましい。
さらに、４４０±１０ｎｍ、５４０±１０ｎｍ、６１０±１０ｎｍであることがより好ましい。
従って、本実施形態においては、少なくともこれらの３つの波長の範囲に反射率の極小を有するように反射防止膜を構成する。すなわち、本実施形態の反射防止膜は、３つ以上の反射率の極小を有し、そのうちの３つの波長は上記プライムカラーの範囲と一致するようにする。
【００１７】
表１に、本発明の第１実施形態に係る反射防止膜の層構成を示す。表１に示すように、本実施形態では、透明なガラス基板上に６層の薄膜を形成したものを２種類、Ａ及びＢと、透明なガラス基板上に７層の薄膜を形成したものを１つ構成した。
ガラス基板の屈折率はそれぞれ１．５３であり、空気の屈折率を１．００とする。ガラス基板上に、表１に示すような、各薄膜を蒸着により形成する。
【表１】
2004109158.tif 000003
【００１８】
表１に示すように、６層構成Ａの反射防止膜は、ガラス基板上に、第１層が、屈折率１．４０、膜厚９３．１０ｎｍ、第２層が、屈折率１．４６、膜厚９４．４０ｎｍ、第３層が、屈折率１．７８、膜厚９５．４０ｎｍ、第４層が、屈折率１．８１、膜厚９２．３０ｎｍ、第５層が、屈折率１．９０、膜厚９２．９０ｎｍ、第６層が、屈折率１．４０、膜厚９０．９０ｎｍとなるように構成されている。
【００１９】
また、６層構成Ｂの反射防止膜は、ガラス基板上に、第１層が、屈折率１．４２、膜厚９１．３０ｎｍ、第２層が、屈折率１．４５、膜厚９２．００ｎｍ、第３層が、屈折率１．７０、膜厚９７．３０ｎｍ、第４層が、屈折率１．７７、膜厚９２．３０ｎｍ、第５層が、屈折率１．８８、膜厚９３．９０ｎｍ、第６層が、屈折率１．４０、膜厚９１．００ｎｍとなるように構成されている。
【００２０】
また、７層構成の反射防止膜は、ガラス基板上に、第１層が、屈折率１．６４、膜厚９２．５０ｎｍ、第２層が、屈折率１．４７、膜厚９０．６０ｎｍ、第３層が、屈折率１．４０、膜厚９１．２０ｎｍ、第４層が、屈折率１．６６、膜厚９９．４０ｎｍ、第５層が、屈折率１．７４、膜厚９５．８０ｎｍ、第６層が、屈折率１．８９、膜厚９３．２０ｎｍ、第７層が、屈折率１．４０、膜厚９１．００ｎｍとなるように構成されている。
【００２１】
これら３種類の反射防止膜の反射特性を図１に示す。
図１（ａ）は、表１の６層構成Ａの反射防止膜の反射特性を、図１（ｂ）は、表１の６層構成Ｂの反射防止膜の反射特性を、そして図１（ｃ）は、表１の７層構成の反射防止膜の反射特性をそれぞれ表している。
図１（ａ）〜（ｃ）からわかるように、いずれも４４０±１０ｎｍ、５４０±１０ｎｍ、６１０±１０ｎｍというプライムカラー（近傍を含む）に反射率の極小を有している。
【００２２】
このように、本実施形態では、プライムカラーに反射率の極小を有する３波長型反射防止膜を得ることができる。
なお、上に説明した例の反射防止膜は、プライムカラーに３つの極小を有するものであったが、本発明はこれに限定されるものではない。３つ以上の極小を有し、そのうちの３つの極小をプライムカラー（その近傍を含む）に持つものであればよい。
【００２３】
次に、本発明の第２実施形態について説明する。
本第２実施形態は、前述した第１実施形態で説明した少なくともプライムカラーに反射率の極小を有する（３波長型）反射防止膜を、ブラウン管モニタに貼付したものである。
このとき、室内の照明が３波長型蛍光灯の場合、ブラウン管モニタに貼付された（３波長型）反射防止膜により、この蛍光灯の発光のピークである３つの波長（プライムカラー）における反射が抑制され、照明の映り込みが最小化される。
【００２４】
また、ブラウン管モニタの発光も前述したようにプライムカラーに発光のピークを有しているが、ブラウン管モニタの発する光もモニタに貼付された反射防止膜によりその発光のピーク（プライムカラー）において、その反射が抑制され、光がよく透過し、外に出てくるため、ブラウン管モニタの発光効率が最大化する。これにより、ブラウン管モニタの視認性が最大化される。
【００２５】
また、本第２実施形態の他の例として、透過型液晶モニタに第１実施形態の（３波長型）反射防止膜を貼付したものが考えられる。
この場合にも、照明光及び液晶モニタのバックライトが、共に３波長型蛍光灯の場合、プライムカラーに発光のピークを有するため、上と同様にして、光取り込みが最大化し、映り込みが最小化され、視認性が最大化される。
【００２６】
次に、本発明の第３実施形態について説明する。
本第３実施形態は、反射型液晶モニタに第１実施形態の（３波長型）反射防止膜を貼付したものである。
このとき、照明が３波長型蛍光灯の場合、この発光のピークであるプライムカラーにおいて、反射が抑制される。その結果、この発光のピークの波長の光が液晶内に取り込まれる。反射液晶モニタの背後には真白な拡散板があり、入射した光はこの拡散板によってすべて反射される。
【００２７】
このように反射されてまたモニタ表面にもどってきた光は、再び反射防止膜によりプライムカラーにおける反射が抑制されるため、この液晶内に取り込まれた光はそのまま液晶モニタの外へ出て行くことになる。
従って、この場合にも、光の取り込みが最大化し、照明の映り込みが最小化され、視認性が最大化される。
【００２８】
また、反射型液晶モニタの場合、液晶モニタ内に入った光が、出てきたときに、光をＲＧＢに変調して出すようにするため液晶モニタ表面にＲＧＢのフィルタが設置されているが、このフィルタがプライムカラーに透過率の極大を持っていることが好ましい。
これにより、反射型液晶モニタによる光取り込みがより向上され、視認性がより向上する。
【００２９】
以上、本発明の反射防止膜及びこれを用いた表示媒体について、詳細に説明したが、本発明は、以上の実施形態に限定されるものではなく、本発明の要旨を逸脱しない範囲において、各種の改良や変更を行ってもよいのはもちろんである。
【００３０】
【発明の効果】
以上、説明した通り、本発明によれば、人間の目の最も感度の高いプライムカラーに発光のピークを有する発光源がほとんどである昨今のオフィス環境下において、必要十分な反射防止機能を持ち、表示媒体の視認性を大いに向上させることのできる反射防止膜及びこれを用いた表示媒体を得ることが可能となる。
【図面の簡単な説明】
【図１】（ａ）〜（ｃ）は、それぞれ本実施形態に係る３種類の反射防止膜の反射特性を示す線図である。
【図１】
2004109158.tif 000004